(57)【特許請求の範囲】
【請求項１】
地面に立設された支柱間の上下に胴縁が架設され、前記上下の胴縁の間へ金網柵が支持されて成るネットフェンスにおいて、
下側の胴縁は長手方向にほぼ平行幅に形成された開口部を上向きに配置され、前記開口部の直下位置に下孔が設けられており、アンカー部材が、金網柵の内側位置から前記開口部を通じて下孔へ差し入れて地中へ打ち込まれていることを特徴とする、侵入防止用ネットフェンス。
【請求項２】
下側の胴縁の上向きの開口部は、長手方向にほぼ平行幅に形成され、同開口部の両側の口縁部には胴縁内に向かって下る傾斜のリップ部が下向きに開口幅が狭くなる形状に形成されており、前記両側のリップ部の上に載せたワッシャーを通じてアンカー部材が地中へ打ち込まれていることを特徴とする、請求項１に記載した侵入防止用ネットフェンス。
【請求項３】
金網柵は菱形金網柵であり、当該菱形金網柵の上端及び下端にコイル状端部が形成されており、上側の胴縁は長手方向にほぼ平行幅に形成された開口部を下向きに配置され、下側の胴縁は開口部を上向きに配置されており、前記上・下の胴縁の中空部内へ前記開口部を通じて前記菱形金網柵の上端及び下端のコイル状端部が通され、各胴縁の中空部内へ配置した骨線に、前記コイル状端部の中空部が通されていることを特徴とする、請求項１又は２に記載した侵入防止用ネットフェンス。
【発明の詳細な説明】
【技術分野】
【０００１】
この発明は、地面に立設された支柱間の上下に胴縁が架設され、前記胴縁へ金網柵を支持させて成るネットフェンスの技術分野に属し、更に云えば、侵入者が下側の胴縁を押し上げて侵入することを防ぐ構成とした、侵入防止用ネットフェンスの技術分野に関する。
【背景技術】
【０００２】
現在広く使用されているネットフェンスは、図１に例示したように、地面のコンクリート基礎Ｄに固定するなどして立設された左右の支柱２、２間の上下に胴縁３が架設され、上下の胴縁３へ前記金網柵１の上端及び下端を支持させた構成の実施例が多い。前記胴縁３には通例円形又は角形のパイプ若しくはアングル材が使用され、金網柵１は通例吊り金具４で胴縁３０に取付られている。
【０００３】
次に、下記の特許文献１には、上記のようなネットフェンスに使用される胴縁として、帯状鋼板等を曲げ加工して、長手方向に略平行に伸びる開口部を形成し、その開口部の両側の口縁部から胴縁内に向かって突出するリップ部を形成した胴縁が開示されている。この胴縁は、金網柵をいわばカーテンを引くが如くに簡単、迅速に設置することが出来る。
【０００４】
特許文献２には、他人が無断で侵入することを防止する侵入防止用ネットフェンスとして、胴縁と支柱とに支持された既設の菱形金網柵へ更に、切断具の刃先が入らない網目のエキスパンドメタルから成る第２フェンスを装着させた構造が開示されている。
【０００５】
特許文献３には、イノシシ等の動物が金網柵の下を潜って侵入することを防止するため、金網柵の下辺部を地面に沿って敷くように配置された土堀防護柵が延長され、又は金網柵の下端を地面と平行に折り曲げてＬ字型に形成された土堀防護柵が配置され、前記防護柵の先端に設けられた骨線がアンカー部材を打ち込んで固定されたフェンスが開示されている。
【特許文献１】実公平３−４９２４９号公報
【特許文献２】実用新案登録第３０８８５１９号公報
【特許文献３】特開２００２−７８４４１公報
【発明の開示】
【発明が解決しようとする課題】
【０００６】
図１のネットフェンスの場合、金網柵１を胴縁３へ取り付ける作業として、複数の吊り金具４を１個１個ボルト、ナット締めする手順で行うので、大変な手間と作業時間を要し、品質管理も困難であった。  
【０００７】
特許文献１の胴縁は、例えば図５に示されているように、中空部へ金網柵の先端のリング端部をまるでカーテンを引く如くに通して簡単、迅速に取付け施工出来る利点がある。しかし、この胴縁は上向きの開口部を有して曲げ剛性が低い構造であるため、下側の胴縁の下からジャッキ等の工具を差し入れて持ち上げると、簡単に撓んで、塑性変形しない範囲で地面との間に人が潜り込める程度の隙間を形成でき、侵入後にジャッキ等の工具を外せば元通りに復元して、侵入の痕跡を残さず、侵入の早期発見も難しいという問題点がある。
【０００８】
特許文献２のフェンスは、切断具を使用して破り難い構成とし侵入を防止する効果は認められるが、下側の胴縁の下を潜る侵入に対する防御の構成は何ら開示されていない。
【０００９】
特許文献３のフェンスは、動物の侵入を防止する目的の構成である事は認められるが、無断の侵入者が前記アンカー部材を引き抜いて、蚊帳を潜る如くに侵入することを防止する視点からは問題点が依然として残る。
【００１０】
本発明の目的は、特許文献１に開示されたように、金網柵を簡単、迅速に取付け施工可能な開口部を有する胴縁を使用するが、特に下側の胴縁を十分に長いアンカー部材によって地面へ強固に固定して曲げ剛性の低さを補い、下側の胴縁を持ち上げて侵入されることを確実に防止できる構成とした、侵入防止用ネットフェンスを提供することにある。
【課題を解決するための手段】
【００１１】
上記した課題を解決するための手段として、請求項１に記載した発明に係る侵入防止用ネットフェンスは、
地面に立設された支柱間の上下に胴縁が架設され、前記上下の胴縁の間へ金網柵が支持されて成るネットフェンスにおいて、
下側の胴縁は長手方向にほぼ平行幅に形成された開口部を上向きに配置され、前記開口部の直下位置に下孔が設けられており、アンカー部材が、金網柵の内側位置から前記開口部を通じて下孔へ差し入れて地中へ打ち込まれていることを特徴とする。
【００１２】
請求項２に記載した発明は、請求項１に記載した侵入防止用ネットフェンスにおいて、  下側の胴縁の上向きの開口部は、長手方向にほぼ平行幅に形成され、同開口部の両側の口縁部には胴縁内に向かって下る傾斜のリップ部が下向きに開口幅が狭くなる形状に形成されており、前記両側のリップ部の上に載せたワッシャーを通じてアンカー部材が地中へ打ち込まれていることを特徴とする。
【００１４】
請求項３に記載した発明は、請求項１又は２に記載した侵入防止用ネットフェンスにおいて、
金網柵は菱形金網柵であり、当該菱形金網柵の上端及び下端にコイル状端部が形成されており、上側の胴縁は長手方向にほぼ平行幅に形成された開口部を下向きに配置され、下側の胴縁は開口部を上向きに配置されており、前記上・下側の胴縁の中空部内へ前記開口部を通じて前記菱形金網柵の上端及び下端のコイル状端部が通され、各胴縁の中空部内へ配置した骨線に、前記コイル状端部の中空部が通されていることを特徴とする。
【発明の効果】
【００１５】
請求項１〜３に記載した発明に係る侵入防止用ネットフェンスは、長手方向に平行幅の開口部３１を有する胴縁３０を使用しているので、金網柵１０の取付け施工は上端および下端のコイル状端部を中空部内へ通しカーテンを引くが如く簡単、迅速に行える。それでいて、下側の胴縁３０は、開口部を通じて下孔３３へ差し入れ地中Ｇへ打ち込んだ複数本のアンカー部材４０により地中へ強固に固定できるから、侵入者が下側の胴縁３０を押し上げて侵入することを確実に防止でき、安心感と信頼性、安全性が得られる。特に、アンカー部材４０は金網柵１０の内側から打ち込むので、侵入者の手はアンカー部材４０には届かず、引き抜くことは不可能であり、侵入防止の効果は絶大である。
【発明を実施するための最良の形態】
【００１６】
地面上に立設された支柱２０、２０間の上下に架設した胴縁３０間へ金網柵１０を取り付けてネットフェンスを構築する。下側の胴縁３０は、長手方向にほぼ平行幅に形成された開口部３１を上向きに配置され、同開口部３１を通じて地中Ｇへ複数本の十分に長いアンカー部材４０を打ち込み固定する。
【実施例１】
【００１７】
以下に、図示した本発明の実施例を説明する。
本発明は、地面上に立設された支柱２０、２０の間の上下位置へ開口部３１を有する胴縁を架設し、これら上下の胴縁の間へ金網柵を支持させたネットフェンスとして好適に実施される。特に下側の胴縁３０をアンカー部材４０で地中に固定した構造として実施される。その実施例の主要部を図２に示す。
図２において、金属線材を菱形に編み込んで作られた菱形の金網柵１０の下端を支持している下側の胴縁３０は、地中へ打ち込んだ複数本の十分長いアンカー部材４０により強固に固定されている。前記アンカー部材４０には、例えば節付きの異形鉄筋、又は節無しの丸鋼鉄筋などが好適に使用される。アンカー部材４０が地中Ｇに打ち込まれる深さＨは、侵入者が下側の胴縁３０を持ち上げる力に対し、十分に抵抗して耐える反力（地盤のアンカー力＝摩擦力）が得られる深さとし、例えば５０ｃｍ程度が好ましい。また、隣接するアンカー部材４０…の間隔Ｌも、例えば２０ｃｍ〜５０ｃｍと密なピッチとする。胴縁３０を持ち上げるために簡易な車載型ジャッキ等の工具が使用される場合を考慮すると、そのような工具等が入り込めない密な間隔Ｌで実施することがより好ましい。
【００１８】
図３は、前記アンカー部材４０が下側の胴縁３０を貫通して地中へ打ち込まれた状態を具体的に示す。図示した下側の胴縁３０は、例えば特許文献１（実公平３−４９２４９号公報）に開示されて既に公知であるように、上向きの開口部３１が長手方向に略平行幅に形成されている。しかも開口部３１の両側の口縁部には、胴縁３０内に向かって下る傾斜面のリップ部３２が、下向きに開口幅が狭くなるほぼ対称形状に形成されている。因みに、上側の胴縁は逆に、開口部が下向きの配置とされる。下側の胴縁３０には更に、開口部３１の直下位置に、アンカー部材４０が挿入される下孔３３が所定のピッチで複数設けられている。下孔３３はアンカー部材４０を挿入しやすい大きさの口径で設けるか、長孔形状として設けられている。
前記リップ部３２の上面にワッシャー５０を載せてアンカー部材４０を打ち込む。前記ワッシャー５０は、図４に示すように、リップ部３２へ載置可能なコの字形状の座金であり、前記開口部３１の両側のリップ部３２、３２の下り傾斜と略同傾斜を持つフランジ部５１、５１をその両側に有し、底部５２の中央にアンカー部材４０が挿入される丸孔５３を有する。
【００１９】
アンカー部材４０は、下側の胴縁３０の開口部３１の両側のリップ部３２、３２の上に前記ワッシャー５０を載せておいて、図３に示す金網柵１０の内側位置から、開口部３１および丸孔５３を通じて、骨線６０を避けつつ下孔３３へ差し入れて、地中Ｇへ打ち込み下側の胴縁３０を強固に固定する。
【００２０】
斯くすると、侵入者が前記胴縁３０を押し上げて侵入される（潜り混む）ことを確実に防止できる。また、金網柵１０の外側からアンカー部材４０を引き抜くことは不可能であり侵入を確実に防止する構成である。仮に侵入できたとしてもネットフェンスを破壊することになるので侵入の早期発見に寄与し、侵入経路も一目瞭然となる。
【００２１】
次に、図５Ａには金網柵１０の下端部と下側の胴縁３０との取り合い構成を示す。金網柵１０の下端部には、胴縁３０の中空部に内包される口径のコイル状端部１０ａが形成されており、下側の胴縁３０の中空部内に配置した骨線６０に、前記開口部３１を通じて前記コイル状端部１０ａの中空部が通されている（請求項３に記載した発明）。図示例では金網柵１０の下端と下側の胴縁３０との取り合い構成を示しているが、勿論、金網柵１０の上端における上側の胴縁との取り合いも上下逆になるが、同様の構成である。
【００２２】
上記コイル状端部１０ａは、具体的には図５Ｂに示すように、金網柵１０を構成するそれぞれの線材の上端及び下端をコイル状に複数回巻いて形成されている。隣接する各コイル状端部１０ａとは、互いに少なくとも前記アンカー部材４０を打ち込み可能な隙間を空けており、骨線６０へカーテンを引くが如くに順に通される構造である。
【００２３】
以上に実施形態を図面に基づいて説明したが、本発明は、図示例の限りではなく、その技術的思想を逸脱しない範囲において、当業者が通常に行う設計変更、応用のバリエーションの範囲を含むことを念のため言及する。本発明の胴縁３０には、例えば丸型パイプだけでなく角形パイプに貫通孔を設けてアンカー部材を打ち込むことも実施可能である。
【図面の簡単な説明】
【００２４】
【図１】通例使用されるネットフェンスを示した図である。
【図２】本発明に係る侵入防止用ネットフェンスの主要部を示した図である。
【図３】アンカー部材を打ち込んだ状態を示した図２のＡ−Ａ断面図である。
【図４】ワッシャーの構成の一例を示した矢視図である。
【図５】Ａは金網柵の下端の構成を示した図２のＢ−Ｂ断面図である。Ｂは金網柵の端部にコイル状端部を形成した一例を示した図である。
【符号の説明】
【００２５】
１０          金網柵  
２０          支柱
３０          胴縁
３１          開口部
３２          リップ部
４０          アンカー部材
５０          ワッシャー
６０          骨線
【図１】
0004099446.tif 000002
【図２】
0004099446.tif 000003
【図３】
0004099446.tif 000004
【図４】
0004099446.tif 000005
【図５】
0004099446.tif 000006